(57)【要約】【課題】鼻板の傾斜角度が異なる場合にも、同じ態様で軒樋を支持することができ、しかも、コストを抑え、在庫の増加を抑えることができる軒樋支持具を提供する。【解決手段】軒樋３を支持する支持具本体４を備える。支持具本体４の後側に位置して鼻板２に沿った状態で鼻板２に固定される被固定部材５を備える。支持具本体４は後面を被当接面１５とする被当接部６を有する。被固定部材５は被当接面１５を当接可能な当接部１６を複数有する。当接部１６に当接させた被当接面１５の鼻板２に対する角度が被当接面１５を当接させる当接部１６毎に異なる。被固定部材５は、被当接面１５を当接部１６に当接させた状態で支持具本体４を保持する保持手段を有する。【選択図】図１
2013064271.tif 000002
【特許請求の範囲】
【請求項１】
軒樋を支持する支持具本体と、この支持具本体の建物側となる後側に位置して鼻板に沿った状態でこの鼻板に固定される被固定部材を備え、前記支持具本体は後面を被当接面とする被当接部を有し、前記被固定部材は前記被当接面を当接可能な当接部を複数有し、前記当接部に当接させた前記被当接面の前記鼻板に対する角度が、前記被当接面を当接させる当接部毎に異なるものであり、前記被固定部材は、前記被当接面を前記当接部に当接させた状態で前記支持具本体を保持する保持手段を有することを特徴とする軒樋支持具。
【請求項２】
前記被当接面の上部又は下部のうちの一方を第一被当接面部とすると共に他方を第二被当接面部とし、前記被固定部材は、前記第一被当接面部に当接可能な第一当接部を複数有すると共に、前記第二被当接面部を当接可能な第二当接部を有し、前記各第一当接部は、前記第一被当接面部が当接され且つ前記鼻板に対する角度が前記第一当接部毎に異なる第一当接面部で構成され、前記第二当接部は、前記第一被当接面部を前記いずれの第一当接面部に当接させた状態でも前記第二被当接面部に線状又は点状に接するものであり、前記当接部が前記任意の第一当接部と前記第二当接部とで構成されたことを特徴とする請求項１に記載の軒樋支持具。
【発明の詳細な説明】
【技術分野】
【０００１】
本発明は軒樋を支持する軒樋支持具に関する。
【背景技術】
【０００２】
従来より、鼻板に取り付けられて軒樋を支持する軒樋支持具が知られている（例えば特許文献１）。
【先行技術文献】
【特許文献】
【０００３】
【特許文献１】特開２００９−１７４２２９号公報
【発明の概要】
【発明が解決しようとする課題】
【０００４】
ところで、屋根面に対して略垂直に設けられる鼻板は、鉛直面に対する傾斜角度が鼻板毎に異なる。このため、同一の軒樋支持具を鼻板に取り付けた場合、鼻板の傾斜角度に応じて軒樋支持具の角度が変わり、軒樋支持具で支持される軒樋を略水平に支持することができない場合がある。
【０００５】
この点、特許文献１は、支持具本体を保持する補助部材として、鼻板の傾斜角度に応じて厚みの漸増割合が異なる複数の補助部材を用意し、補助部材の中から選定された補助部材を用いることで鼻板の傾斜角度に応じて支持具本体を適切な角度に調整している。
【０００６】
しかし、特許文献１では、鼻板の傾斜角度に応じて補助部材を複数種類用意する必要があるため、コストが高くなり、在庫が増えることが懸念される。
【０００７】
本発明は上記事情に鑑みてなされたものであって、鼻板の傾斜角度が異なる場合にも、同じ態様で軒樋を支持することができ、しかも、コストを抑え在庫の増加を抑えることができる軒樋支持具を提供することを課題とする。
【課題を解決するための手段】
【０００８】
上記課題を解決するために本発明の軒樋支持具は、軒樋を支持する支持具本体と、この支持具本体の建物側となる後側に位置して鼻板に沿った状態でこの鼻板に固定される被固定部材を備え、前記支持具本体は後面を被当接面とする被当接部を有し、前記被固定部材は前記被当接面を当接可能な当接部を複数有し、前記当接部に当接させた前記被当接面の前記鼻板に対する角度が、前記被当接面を当接させる当接部毎に異なるものであり、前記被固定部材は、前記被当接面を前記当接部に当接させた状態で前記支持具本体を保持する保持手段を有することを特徴とする。
【０００９】
また、前記被当接面の上部又は下部のうちの一方を第一被当接面部とすると共に他方を第二被当接面部とし、前記被固定部材は、前記第一被当接面部に当接可能な第一当接部を複数有すると共に、前記第二被当接面部を当接可能な第二当接部を有し、前記各第一当接部は、前記第一被当接面部が当接され且つ前記鼻板に対する角度が前記第一当接部毎に異なる第一当接面部で構成され、前記第二当接部は、前記第一被当接面部を前記いずれの第一当接面部に当接させた状態でも前記第二被当接面部に線状又は点状に接するものであり、前記当接部が前記任意の第一当接部と前記第二当接部とで構成されることが好ましい。
【発明の効果】
【００１０】
本発明にあっては、鼻板の傾斜角度が異なる場合にも同じ態様で軒樋を支持することができ、しかも、コストを抑えることができ、在庫の増加を抑えることができる。
【図面の簡単な説明】
【００１１】
【図１】本実施形態の軒樋支持具の施工状態を示す側面図である。
【図２】軒樋支持具の側面図である。
【図３】被固定部材を示し、（ａ）は正面図、（ｂ）は側面図、（ｃ）は平面図である。
【図４】図３のＡ−Ａ断面図である。
【図５】三寸勾配用鼻板に取り付けるときの軒樋支持具を示し、（ａ）は側面図であり、（ｂ）は平面図であり、（ｃ）は底面図である。
【図６】（ａ）は三寸勾配用鼻板に取り付ける場合の軒樋支持具を一部断面にして表した側面図であり、（ｂ）は四寸勾配用鼻板に取り付ける場合の軒樋支持具を一部断面にして表した側面図であり、（ｃ）は五寸勾配用鼻板に取り付ける場合の軒樋支持具を一部断面にして表した側面図であり、（ｄ）は六寸勾配用鼻板に取り付ける場合の軒樋支持具を一部断面にして表した側面図である。
【発明を実施するための形態】
【００１２】
以下、本発明を添付図面に基づいて説明する。本実施形態の軒樋支持具１は、図１に示すように建物の軒先に設けられた鼻板２に沿って複数取り付けられて、軒樋３を吊り支持するものである。
【００１３】
軒樋支持具１の取付対象となる鼻板２は勾配のある屋根面に対して略垂直に設けられるものであり、図１では、三寸勾配の屋根面に対して略垂直な鼻板２に取り付けた例を示している。なお、後述するが、軒樋支持具１は、四寸勾配の屋根面に対して略垂直な鼻板２、五寸勾配の屋根面に対して略垂直な鼻板２、及び六寸勾配の屋根面に対して略垂直な鼻板２にも取り付けることができる。つまり、本実施形態の軒樋支持具１は、鉛直面に対する傾斜角度が異なる複数種類の鼻板２に取り付けることができる。以下、特に区別する場合には、前記傾斜角度の異なる鼻板２を、夫々、三寸勾配用鼻板２、四寸勾配用鼻板２、五寸勾配用鼻板２、六寸勾配用鼻板２と記載する。
【００１４】
軒樋支持具１は、軒樋３を支持する支持具本体４と、支持具本体４の建物側となる後側に位置して鼻板２に固定される被固定部材５とで構成されている。支持具本体４は、被固定部材５に当接すると共に被固定部材５によって保持される被当接部６と、被当接部６から屋外側となる前方に突出して軒樋３を支持する支持部７を有している。
【００１５】
支持具本体４の後端部に位置する被当接部６は、前後方向を厚み方向とする略矩形板状に形成されており、その左右方向の中央部から支持部７を突出している（図５（ｂ）、図５（ｃ）参照）。図２に示す被当接部６の後面は被固定部材５に当接させる被当接面１５を構成している。以下、被当接面１５の上部を第一被当接面部１７と記載し、被当接面１５の下部を第二被当接面部１８と記載する。
【００１６】
支持具本体４を保持する図４に示す被固定部材５は、支持具本体４の被当接面１５を当接可能な当接部１６を複数有している。
【００１７】
具体的には、図４に示すように、被固定部材５の前面上部には、支持具本体４の被当接部６の上端部を当接可能な上当部２２が上下方向に複数設けられている。各上当部２２は、前側を向く第一当接面部２０からなる第一当接部１９と、後端が第一当接面部２０の上端に接続された下側を向く面からなる押さえ面部２１とで構成された側面視Ｌ字状の面部である。上当部２２は上下に計四段連ねて設けられており、全体で側面視階段状を成している。
【００１８】
各第一当接面部２０には、支持具本体４の第一被当接面部１７、詳しくは被当接面１５の上端部を当接することができる。また、各押さえ面部２１には支持具本体４の被当接部６の上端を当接して被当接部６の上方への移動を規制することができる。
【００１９】
被固定部材５の鼻板２の前面に沿わせられる後面２３は、下方程後方に位置するように傾斜している。被固定部材５の各第一当接面部２０は、鼻板２と平行に配置される被固定部材５の後面２３に対する角度αが夫々異なっており、下方に位置する第一当接面部２０程角度αが大きくなっている。
【００２０】
図示例では、最上段の第一当接面部２０、上から二段目の第一当接面部２０、上から三段目の第一当接面部２０、最下段の第一当接面部２０の夫々の被固定部材５の後面２３に対する角度αは、順に１６．７°、２１．６°、２６．６°、３１°に設定されている。また、各押さえ面部２１はその後端に接続された第一当接面部２０に対して垂直である。
【００２１】
被固定部材５の前面下部２４は、最上段の第一当接面部２０と平行である。この前面下部２４の上端は最下段の第一当接面部２０を下側に延ばし出した延出面２５の下端に接続されている。延出面２５と前面下部２４との境界を成す稜線は、支持具本体４の第二被当接面部１８を当接可能な第二当接部２６を構成する。
【００２２】
図４に示すように、各第一当接面部２０を下側に延長した仮想延長面２７を想定したとき、第二当接部２６は、全ての第一当接面部２０の仮想延長面２７上に位置している。このため、支持具本体４の第一被当接面部１７をいずれの第一当接面部２０に当接したときでも、第二当接部２６は支持具本体４の第二被当接面部１８に線状に接するようになっている。そして、前記当接部１６は前記任意の第一当接部１９と前記第二当接部２６とで構成されている。
【００２３】
被固定部材５は支持具本体４を保持する保持手段を有している。保持手段は、被当接部６の上部を保持する第一保持手段と、被当接部６の下部を保持する第二保持手段とで構成されている。
【００２４】
第一保持手段は、図３（ａ）に示される被固定部材５の前面上部の両側から前側に向けて突出した第一係止片部２８で構成されている。各第一係止片部２８は各上当部２２の両側に位置するように被固定部材５の側縁部の上部に亘って設けられており、また、図３（ｃ）に示すように前側程第一係止片部２８同士が近づくように傾斜している。また、各第一係止片部２８は弾性を有している。
【００２５】
第二保持手段は、図３（ａ）に示す被固定部材５の前面下部２４の両側から前側に向けて突出した第二係止片部２９で構成されている。図５（ｃ）のように、各第二係止片部２９は、前側程第二係止片部２９同士が近づくように傾斜している。また、各第二係止片部２９は弾性を有している。
【００２６】
保持手段で支持具本体４を保持するには、被当接部６の上部を両第一係止片部２８を外側に押し広げながら両第一係止片部２８の間に挿入すると共に、被当接部６の下部を両第二係止片部２９を外側に押し広げながら両第二係止片部２９の間に挿入する。このようにすると、図５（ｂ）のように両第一係止片部２８の間に挿入された被当接部６の上部には各第一係止片部２８が弾力的に接し、これによって被当接部６の上部は両第一係止片部２８に挟み込まれて保持される。また、図５（ｃ）のように、両第二係止片部２９の間に挿入された被当接部６の下部には各第二係止片部２９が弾力的に接し、これによって被当接部６の下部は両第二係止片部２９に挟み込まれて保持される。
【００２７】
また、このように被固定部材５で支持具本体４を保持する際、支持具本体４の被当接面１５を前記複数の当接部１６の中から選択された任意の当接部１６に当接させることで、図６のように、支持具本体４の被固定部材５に対する取付角度を変更することができる。
【００２８】
例えば軒樋支持具１を三寸勾配用鼻板２に取り付ける場合、図６（ａ）のように、第一被当接面部１７を最上段の第一当接面部２０に当接すると共に、第二被当接面部１８を第二当接部２６に当接する。また、軒樋支持具１を四寸勾配用鼻板２に取り付ける場合は、図６（ｂ）のように、第一被当接面部１７を上から二段目の第一当接面部２０に当接すると共に、第二被当接面部１８を第二当接部２６に当接する。同様に、軒樋支持具１を、五寸勾配用鼻板２、六寸勾配用鼻板２に取り付ける場合は、図６（ｃ）、（ｄ）に示すように、被当接面１５を当接部１６に当接する。なお、図６（ａ）〜（ｄ）に示すいずれの場合も、被当接部６は前述のように被固定部材５の保持手段によって保持される。
【００２９】
上記のように被当接面１５を任意の当接部１６に当接した状態では、被固定部材５の後面２３を対応する傾斜角度の鼻板２の前面に沿わせたとき、被当接面１５をいずれの当接部１６に当接した場合も板状の被当接部６が鉛直になる。従って、支持具本体４の前方に突出する支持部７を常に略水平に保つことができる。
【００３０】
図３（ａ）のように、被固定部材５の両側には、前後方向に貫通してねじである固着具３１（図１参照）を挿通するための上下に長い長孔３０が形成されている。各長孔３０は、被固定部材５の上当部２２が形成された上部から下部に亘って形成されている。また、図示は省略するが、支持具本体４の被当接部６の左右両側において、前記各長孔３０に対応する位置には、前後方向に貫通する固着具挿通用孔が形成されている。
【００３１】
軒樋支持具１を図１に示すように鼻板２に取り付けるには、まず前述のように被当接面１５を任意の当接部１６に当接すると共に支持具本体４を被固定部材５の保持手段によって保持する。次に、前記各固着具挿通用孔から固着具３１を挿入し、各固着具３１を対応する長孔３０に通して鼻板２に固着する。これにより、固着具３１の頭部によって支持具本体４の被当接部６が鼻板２側に押圧され、この被当接部６と鼻板２との間に被固定部材５が挟まれて、支持具本体４及び被固定部材５が鼻板２に対して固定される。
【００３２】
支持具本体４の支持部７は、前端部に前係止部１０が形成されると共に後端部に後係止部１２が形成されている。一方、軒樋３は側断面略Ｕ字状に形成され、前壁部１３の上端部に前耳部９が形成され、後壁部１４の上端部に後耳部１１が形成されている。軒樋３は、前耳部９を前係止部１０に係止し、後耳部１１を後係止部１２に係止することで、軒樋支持具１の支持具本体４に取り付けられる。
【００３３】
以上説明した本実施形態の軒樋支持具１は、被固定部材５が支持具本体４の被当接面１５を当接可能な当接部１６を複数有し、当接部１６に当接させた被当接面１５の鼻板２に対する角度が被当接面１５を当接させる当接部１６毎に異なるようになっている。このため、前述のように支持具本体４の被当接面１５を任意の当接部１６に当接させることで、支持具本体４の被固定部材５に対する取付角度を鼻板２の傾斜角度に応じて変更することができる。よって、鼻板２の傾斜角度が異なる場合にも、同一の軒樋支持具１を用いて同じ態様で軒樋３を支持することができる。本例では、図１に示すように軒樋３を底部が常に略水平になるように支持することができる。また、従来のように、鼻板２の傾斜角度に応じて複数種類の部材を用意する必要がないため、コストを削減でき、在庫の増加を抑えることができる。
【００３４】
また、本実施形態の被固定部材５は、第一被当接面部１７に当接可能な第一当接部１９を複数有すると共に、第二被当接面部１８を当接可能な第二当接部２６を有している。また、各第一当接部１９は、第一被当接面部１７が当接され且つ鼻板２に対する角度が第一当接部１９毎に異なる第一当接面部２０で構成されている。また、第二当接部２６は、第一被当接面部１７をいずれの第一当接面部２０に当接させた状態でも第二被当接面部１８に線状に接する。そして、当接部１６が任意の第一当接部１９と第二当接部２６とで構成されている。このようにすることで、各当接部１６を、異なる第一当接部１９と共通の第二当接部２６とで構成することができ、特に第二当接部２６を共通で用いるので被固定部材５の形状が複雑になり難い。
【００３５】
なお、本実施形態では支持具本体４の被固定部材５に対する取付角度を屋根勾配に換算して一寸刻みで変更できるようにしたが、０．５寸刻みで変更する等、より細かく変更できるようにしてもよい。また、前記第二当接部２６は支持具本体４の第二被当接面部１８に線状に接するものであるが、点状に接するものであってもよい。また、支持具本体４は被固定部材５と共に固着具３１を用いて鼻板２に固着したが、支持具本体４を鼻板２に固着せず、被固定部材５に固着具を用いて固着しても構わない。
【００３６】
また、上記では被当接面１５の上部に当接する第一当接面部２０を複数設け、被当接面１５の下部に線状に接する第二当接部２６を一つ設けた。しかし、被当接面１５の上部に線状又は点状に接する当接部を一つ設け、被当接面１５の下部に当接する当接面部を複数設けてもよい。また、前記複数の第一当接面部２０を線状又は点状に被当接面１５の上部に接するようにしたり、第一当接部１９及び第二当接部２６を複数設けて、第一当接部１９と第二当接部２６の組み合わせで当接部１６を構成する等してもよい。また、この他、本発明の趣旨を逸脱しない範囲であれば適宜設計変更可能である。
【符号の説明】
【００３７】
１  軒樋支持具
２  鼻板
４  支持具本体
５  被固定部材
６  被当接部
１５  被当接面
１６  当接部
１７  第一被当接面部
１８  第二被当接面部
１９  第一当接部
２０  第一当接面部
２６  第二当接部
【図１】
2013064271.tif 000003
【図２】
2013064271.tif 000004
【図３】
2013064271.tif 000005
【図４】
2013064271.tif 000006
【図５】
2013064271.tif 000007
【図６】
2013064271.tif 000008